(57)【特許請求の範囲】
【請求項１】
対象物に対して光束を投光する投光部と、該対象物から反射して戻って来る光束を受光し、その光量に応じた検出信号を出力する受光部と、該検出信号に基づいて該対象物までの距離を多段判定する回路部とからなる光量式多段測距装置において、
前記回路部は、該光量に応じた検出信号のレベルを所定の参照レベルと比較して、該光量を判定する光量判定回路と、前記距離に対応した設定値を得る為に参照レベルを多段に切り換え可能に供給する参照レベル設定回路と、該参照レベル設定回路を制御して所定のアルゴリズムに基づき参照レベルを切り換えながら複数回の判定を行ない、その結果に基づいて対象物までの距離を特定する制御回路とを含み、
前記アルゴリズムは、１つの判定で距離範囲を遠近のいずれか一方に２分割限定し、次の判定は該２分割に限定された距離範囲内で行なってさらに２分割に限定する判定を繰り返し行い、
前記アルゴリズムは、１つの判定で遠近２値判定を繰り返し行ない、遠近いずれか一方の判定結果が先に規定回数出た段階で次の判定に進み、
前記アルゴリズムは、当該判定において１つ前の判定結果と逆の遠近２値判定が出現した時にはその時点で１つ前と逆の判定結果を下し、
前記アルゴリズムは、１つの判定に遠近両方の２値判定が含まれていた時には、次の判定に基づいて最終的に対象物までの距離を特定することを特徴とする光量式多段測距装置。
【発明の詳細な説明】
【０００１】
【発明の属する技術分野】
本発明はカメラなどに組み込まれ自動焦点調整などに用いられる光量式測距装置に関する。より詳しくは、距離の判定を多段化して距離精度を得る技術に関する。更に詳しくは、多段判定の手順もしくはアルゴリズムに関する。
【０００２】
【従来の技術】
図６は、従来の光量式測距装置を組み込んだカメラの一例を示す模式的な斜視図である。カメラ２５はボディ２６の前面にレンズ鏡筒２７を備えている。ボディ２６には投光部１及び受光部２を備えた光量式測距装置が取り付けられている。投光部１は、光軸方向に位置する対象物に対して光束を投光する。受光部２は、対象物から反射して戻って来る光束を受光し、その光量に応じた検出信号を出力する。光量式測距装置は、受光部２から出力された検出信号に基づいて、対象物までの距離を判定するものであり、対象物からの反射光量が、距離の二乗に反比例する関係を利用して、測距を行なっている。
【０００３】
図７は、従来の光学式測距装置の具体的な構成を示す模式図である。投光部１及び受光部２は保持枠３０に組み付けられている。この保持枠３０が、回路基板４ａに搭載されている。回路基板４ａが図６に示したカメラ２５のボディ２６内に組み付けられる。投光部１は、保持枠３０の前面に取り付けられた投光用のレンズ１ｂと、レンズ１ｂに対して赤外線などの光束を放射する発光素子１ａとで構成されている。一方、受光部２は、保持枠３０の前面に取り付けられ対象物から反射した光束を集光するレンズ２ｂと、このレンズ２ｂに対面配置したフォトダイオードなどの受光素子２ａとで構成されている。受光素子２ａは、受光した光量に応じた電流量の検出信号を出力する。回路基板４ａに組み付けられた回路部は、この検出信号を処理して測距を行なう。
【０００４】
【発明が解決しようとする課題】
光量式測距装置は三角測量の原理に基づいた測距装置に比べ、構造が簡単である。その為、従来の光量式測距装置は、遠距離側と近距離側で二段に距離を判別する方式が多用されている。すなわち、光量式測距装置の回路部は、コンパレータを備えており、検出信号を所定の参照レベルと比較処理して、対象物が遠距離側にあるか近距離側にあるかを判定していた。光量式測距装置は対象物から反射される光量に基づいて測距を行なうので、下記の要因で精度が高くなく、現流の二段判定から三段以上の多段判定に精度を高めることは不適当であると考えられていた。光量は対象物（カメラの被写体など）の反射率に依存する為、測距精度が得られないことから、多段化することの意味合いが少ないと考えられていた。又、回路構成上も二値判定の場合はコンパレータ１つで済み、極めて簡単であって合理性が重んじられていた。多段化の要求に対しては、通常の三角測距方式によるシステムが適合しており、光量式測距装置で多段化を行なう意味合いは少なかった。
【０００５】
しかしながら、近年カメラの多様化に伴い、自動焦点調整などに用いる測距装置のローコスト化及び小型化の要求がある。又反射率依存性に対しては最多撮影被写体の反射率はほぼ一定範囲とみなすことが出来ると考えられる。この為、コストやサイズの面で優位な光量式測距装置の多段化が望まれていた。本発明は、光量式測距装置の多段化を提案するものである。
【０００６】
被写体から反射した光量の判別を多段で行なう場合、段数に応じた判別回路を用意し、且つ光量に応じた複数の参照レベルを用意する方式が考えられる。あるいは、反射光量のレベルを直接測定して数値データに変換し、前述した距離と光量との物理的な関係から、被写体距離情報を算出する手段も考えられる。しかしながら、上述した方策は、いずれも回路構成が複雑となり、本来簡易的な測距手段である光量式測距装置には適合していない。汎用的な光量式測距装置は遠近二段の簡易判定であり、参照レベルは１つだけであって、極めて簡潔な回路である。市場では、回路構成を複雑にすることなく、光量式測距装置を多段化する手段が望まれており、解決すべき課題となっている。
【０００７】
【課題を解決するための手段】
上述した従来の技術の課題を解決するために以下の手段を講じた。即ち、対象物に対して光束を投光する投光部と、該対象物から反射して戻って来る光束を受光し、その光量に応じた検出信号を出力する受光部と、該検出信号に基づいて該対象物までの距離を多段判定する回路部とからなる光量式多段測距装置において、前記回路部は、該光量に応じた検出信号のレベルを所定の参照レベルと比較して該光量を判定する光量判定回路と、前記距離に対応した設定値を得る為に参照レベルを多段に切り換え可能に供給する参照レベル設定回路と、該参照レベル設定回路を制御して所定のアルゴリズムに基づき参照レベルを切り換えながら複数回の判定を行ない、その結果に基づいて対象物までの距離を特定する制御回路とを含み、前記アルゴリズムは、１つの判定で距離範囲を遠近のいずれか一方に２分割限定し、次の判定は該２分割に限定された距離範囲内で行なってさらに２分割に限定し、以上の判定を繰り返すことで最終的に対象物までの距離を特定することを特徴とする。その際前記アルゴリズムは、１つの判定で遠近２値判定を繰り返し行ない、遠近いずれか一方の判定結果が先に規定回数出た段階で次の判定に進む。又、前記アルゴリズムは、当該判定において１つ前の判定結果と逆の遠近２値判定が出現した時にはその時点で１つ前と逆の判定結果を下す。更に、前記アルゴリズムは、１つの判定に遠近両方の２値判定が含まれていた時には、次の判定に基づいて最終的に対象物までの距離を特定する。
【０００８】
好ましくは、前記アルゴリズムは、１つの判定で遠近２値判定を繰り返し行ない、遠近いずれか一方の判定結果が先に規定回数出た段階で次の判定に進む。又、前記アルゴリズムは、当該判定において１つ前の判定結果と逆の遠近２値判定が出現した時にはその時点で１つ前と逆の判定結果を下す。更に、前記アルゴリズムは、１つの判定に遠近両方の２値判定が含まれていた時には、次の判定に基づいて最終的に対象物までの距離を特定する。
【０００９】
本発明によれば、汎用的な光量式測距装置に組み込まれている１個だけのコンパレータ（比較器）からなる光量判定回路をそのまま用いて、測距の多段化を可能とするものである。単独の光量判定用コンパレータに対して、複数の参照レベルを切り換え可能に供給する。一回の測距を行なう時、参照レベルを切り換えて複数回の判定を行ない、その結果に基づいて被写体距離を求めるものである。従来の光学式測距は、判定距離を一点に設定し、設定距離に対する遠近の２値判定を行なっている。この時の判定ゾーンは広い。これに対し、本発明に従って、判定レベルを多段に用意し、レベルを切り換えて判定し、距離範囲を狭めていく様にして、測距精度を高めている。この場合、レベルを切り換えて判定を多数回行なう必要上、測距時間が長くなる。一方、判定ゾーンの間隔が狭まったことにより、判定精度は従来と比較すると要求レベルが異なる。これらの事情に鑑み、本発明では、測距時間と判定精度をバランスさせた上で、合理的な判定アルゴリズムを用いている。即ち、多段判定を行なう時、判定レベルの切り換えを適切に行なって、最短判定となる様に手順をあらかじめプログラム化している。具体的には、判定レベル設定を判定ゾーンの中間段に置き、選定ゾーン内で更に中間段として次の判定に進む。この様にすることで、順次判定レベルを繰り上げる場合もしくは繰り下げる場合に比べ、トータルの判定回数を少なくすることができる。更に、一の判定結果を前の判定結果に従う様にして、判定回数を最小とするアルゴリズムを採用している。
【００１０】
【発明の実施の形態】
以下図面を参照して本発明の実施の形態を詳細に説明する。図１は、本発明に係る光量式多段測距装置の構成並びに作用を説明する為の模式図である。（Ａ）に示す様に、本光量式多段測距装置は、基本的な構成として、投光部１と受光部２と回路部３とで構成されている。これらの物理的な構成は、図７に示した通りである。投光部１は赤外線発光ダイオードやレンズなどを含み、対象物０に対して光束を投光する。受光部２はレンズ及びフォトダイオードなどの受光素子を含み、対象物０から反射して戻って来る光束を受光する。尚レンズは使用する素子の集光機能を用い、使用光量によってはレンズは省略することもある。受光素子は、受光した光量に応じた検出信号を例えば電流レベルで出力する。回路部３は、受光部２から出力された検出信号に基づいて、対象物０までの距離を多段的に測定する。
【００１１】
回路部３は、光量判定回路４と参照レベル設定回路５と制御回路６とで構成されている。光量判定回路４は単一のコンパレータを含み、光量に応じた検出信号のレベルを所定の参照レベルと比較して、光量を判定する。参照レベル設定回路５は、あらかじめ距離に応じて多段に設定した複数の参照レベルを切り換え可能に供給する。制御回路６は、参照レベル設定回路５を制御して所定のアルゴリズムに基づき参照レベルを切り換えながら複数回の判定を行ない、その結果に基づいて対象物までの距離を特定する。このアルゴリズムは、１つの判定で距離範囲を遠近のいずれか一方に２分割限定し、次の判定は該２分割に限定された距離範囲内で行なって更に２分割に限定し、以上の判定を繰り返すことで最終的に対象物までの距離を特定する。又、前記アルゴリズムは、１つの判定で遠近２値判定を繰り返し行ない、遠近いずれか一方の判定結果が先に規定回数出た段階で次の判定に進む。この場合、前記アルゴリズムは、当該判定において１つ前の判定結果と逆の遠近２値判定が出現した時には、その時点で１つ前と逆の判定結果を下す。又前記アルゴリズムは、１つの判定に遠近両方の２値判定が含まれていた時には、次の判定に基づいて最終的に対象物までの距離を特定する。
【００１２】
続いて（Ｂ）を参照して、上述したアルゴリズムを具体的に説明する。図示の例では、参照レベルが▲１▼から▲８▼まで８段階に設定されている。尚各参照レベルに（  ）を付けて示した数字は、対応する対象物までの距離を例示したものである。設定アルゴリズムは基本的に▲１▼から▲４▼まで４回の判定を行なって、対象物までの距離を特定する。特定した結果は、右側に距離段として表わしてある。特に本多段式測距装置をカメラの自動焦点調整に応用する場合には、この距離段はレンズの設定段と対応することになる。
【００１３】
最初の判定▲１▼は、参照レベル▲４▼を選択して行なう。図では○印が判定点を表わしている。中間の参照レベル▲４▼を用いた一次判定▲１▼の結果、対象物は遠距離側にあると判断された場合には判定ａが下される。一方、対象物が参照レベル▲４▼に対応した距離１．５１ｍよりも近距離側にあると判断された場合には判定ｂが出る。判定ａ又はｂに応じて二次判定以降のルートが決まる。例えば、一次判定▲１▼で判定ａが出た場合には、参照レベル▲２▼を使って二次判定▲２▼を行なう。この様に、１つの判定で距離範囲を遠近のいずれか一方に２分割限定し、次の判定は該２分割に限定された距離判定内で行なって更に２分割に限定し、以上の判定を繰り返すことで最終的に対象物までの距離を特定する。これにより、参照レベルを順次繰り上げて判定する場合もしくは順次繰り下げて判定を行なう場合に比べ、トータルの判定回数を少なくすることが可能である。
【００１４】
上記の基本的なアルゴリズムに加え、更に幾つかの部分アルゴリズムを採用している。第１の部分アルゴリズムでは、○印で表わした各判定点において、同一の参照レベルでｎ回判定を繰り返している。尚、ｎは奇数回である。ここでａの判定回数をａｘとすると、ａｘ＞（ｎ−１）／２の時はａと判定する。ｂの判定回数をｂｘとした時、ｂｘ＞（ｎ−１）／２の時はｂと判定する。例えば、ｎ＝１１とした時、先に６回同一判定が出た時点で当該段は終了する。即ち、第１の部分アルゴリズムは、１つの判定で遠近２値判定を繰り返し行ない、遠近いずれか一方の判定結果が先に規定回数出た段階で、次の判定に進む様にしている。
【００１５】
第２の部分アルゴリズムでは、判定段一段前における判定内容に逆の判定が含まれている時、現判定段に前判定と逆判定が生じた時点で、現判定段結果は前判定段の逆と判定することで、繰り返し回数を削減している。例えば、１つ前の判定結果がａの場合に、現判定の一回目で同じくａが出た場合には、前述した第１の部分アルゴリズムに従って判定を所定回数繰り返すことになる。同様に、１つ前の判定結果がｂで、現判定の一回目でｂが出た場合にも、第１の部分アルゴリズムに従って、所定回数判定を繰り返す。この結果、ｂが連続して出現する蓋然性が高く、現判定結果もｂとなる確率が高い。一方、前判定の結果がａの場合に、現判定の例えば一回目でｂと出た場合には、この時点で直ちに判定結果をｂとし、繰り返し判定は行なわない。これにより、判定時間を短縮することができる。即ち、現判定段に前判定と逆判定が生じた場合には、最終結果も逆判定となる蓋然性が高いので、繰り返し判定を省略している。以上の様に、第２の部分アルゴリズムは、当該判定において１つ前の判定結果と逆の遠近２値判定が出現した時には、その時点で１つ前と逆の判定結果を下す様にしている。
【００１６】
第３の部分アルゴリズムは、１つの判定に遠近両方の２値判定が含まれている時には、次の判定に基づいて最終的に対象物までの距離を特定する。互いに相反する判定結果ａ，ｂが両方出現した場合には、選択している参照レベルが最終レベルに近いことが容易に推定される。そこで次の判定を最終段とし、それ以降の判定を打ち切る様にしている。これにより、トータルの測距時間を短縮できる。
【００１７】
図２（ａ）は、本発明に係る光量式多段測距装置の具体的な構成例を示す回路図である。図示する様に、本光量式多段測距装置は、赤外光を被写体に向け投光する赤外線ＬＥＤ（ＩＲＥＤ）１ａと、被写体からの反射光を受け対応する検出信号を出力するフォトダイオード（ＰＤ）２ａとを含んでいる。ＬＥＤ１ａとフォトダイオード２ａは光量式測距ＩＣに接続されている。このＩＣは、８個の端子ＩＲＥＤ，ＣＨ，ＰＤ，ＶＣＣ，ＣＴＲＬ，ＯＵＴ，ＶＲ，ＧＮＤを備えている。赤外線ＬＥＤ１ａは駆動トランジスタを介して端子ＩＲＥＤに接続し、フォトダイオード２ａは端子ＰＤに接続している。端子ＣＨにはコンデンサが接続している。端子ＶＣＣには電源電圧が供給され、端子ＧＮＤは接地される。端子ＣＴＲＬには制御回路を構成するＣＰＵ６が接続されている。又出力端子ＯＵＴにもＣＰＵ６が接続されている。加えて端子ＶＲには外部の電流設定回路３ｂが接続される。
【００１８】
光量式測距ＩＣは、内部にヘッドアンプ１２、定常光引き抜き回路１３、電流電圧変換回路１４、同じく電流電圧変換回路１５、タイミング回路１６、定電流回路３ａ、コンパレータ４などが集積形成されている。コンパレータ４は前述した光量判定回路を構成しており、その出力はトランジスタのバッファを介して出力端子ＯＵＴからＣＰＵ６側に接続される。又、定電流回路３ａと電流設定回路３ｂは端子ＶＲで接続されており、合わせて前述した参照レベル設定回路３を構成している。ここで定電流源と定電圧ダイオードＤ１とトランジスタＴＲ２にて構成される定電流回路３ａの代わりに図２（ｂ）に示す２を基数とする等比列の定電流源と切り換えスイッチとにより、複数のレベルの定電流ＩＤを用いても良い。
【００１９】
定常光引き抜き回路１３は、フォトダイオード２ａから受光電流ＩＯ＋ＩＳを受け、定常光引抜きによりバックグランド成分ＩＯを除いて、有効信号成分ＩＳを抽出する。尚、バックグランド成分ＩＯはあらかじめ赤外線ＬＥＤ１ａを発光しない状態で測定することができる。有効信号成分ＩＳはヘッドアンプ１２で増幅された後、コンバータ１４で電圧信号に変換されて、コンパレータ４の正入力端子に供給される。尚、バックグランド成分ＩＯはトランジスタＴＲ１を介して、定常光引き抜き回路１３により取り除かれる。
【００２０】
簡易的な定電流回路３ａはトランジスタＴＲ２とダイオードＤ１で構成されている。ＴＲ２のベース電圧を固定とし、エミッタ抵抗ＲＥで電流設定を行なっている。尚、定電流回路はより精度を上げる為、オペアンプなどを用いた構成としてもよい。エミッタ抵抗ＲＥは電流設定回路３ｂ側に設けられている。
【００２１】
コンパレータ４は、定電流回路３ａから出力された設定電流ＩＤと、光電流ＩＳを比較するもので、その出力はＨ／Ｌの二値となる。尚、本例では、光電流ＩＳはコンバータ１４で対応する電圧に変換され、設定電流ＩＤも対応するコンバータ１５で電圧に変換されている。コンパレータ４は両電圧を比較して、その大小により出力が二値を取る。
【００２２】
外部のエミッタ抵抗ＲＥは端子ＶＲより接続され、定電流回路３ａでは１／ＲＥに比例した電流設定が行なわれる。エミッタ抵抗ＲＥは４本の抵抗素子ＲＥ１〜ＲＥ４を並列接続し、各抵抗にスイッチを設け、ＣＰＵ６によりその接続を切り換え制御できる。４本の抵抗ＲＥ４〜ＲＥ１の抵抗値は１：２：４：８に設定されており、いわゆる二進４ビット構成に対応している。ＲＥ１は最下位ビットに対応し、ＲＥ４は最上位ビットに対応している。４ビット構成の抵抗素子を適宜組み合わせることで、最大で２4＝１６通りの電流設定を行なえる。場合によっては、図示の様に最下位ビットに対応したＲＥ１を常時接続とし、実質的に３ビット構成で２3＝８通りの電流レベルを設定する様にしてもよい。
【００２３】
尚、赤外光ＬＥＤ１ａはタイミング回路１６によりパルス通電される。赤外光ＬＥＤ１ａはコンデンサによる電源バックアップを行なっている。ＬＥＤ１ａと並列又は直列に接続された複数の抵抗１１は、発光電流制限用であり、フォトダイオード２ａ側の光電流が、設定値となる様に、上述した発光電流制限用抵抗１１を調整する。この調整は、通常組み立て段階で一回行なえばよい為、複数の発光電流制限用抵抗１１は調整段階で半田スイッチなどにより適宜接続される。上述した光量式測距ＩＣの各部分は、タイミング回路１６によって動作制御されている。
【００２４】
図３は、段差設定の具体例を示す表図である。前述した様に、測距段差の設定に当たっては、撮影レンズの設定段差による結像のボケ量が、一様になる様に設定することが理想である。カメラの自動焦点調整においては、投光量能力から見て最遠判別点が決まる為、最遠点については上記法則に乗らないこともある。この場合、撮影頻度から見て常用距離域のピント重視で設定をアレンジすることが好ましい。一般的に、レンズ設定段は、レンズ被写界深度に対応して過焦点系列を基本に設定している。ここで、過焦点はＨ＝ｆ2／Δ・Ｆで与えられる。尚Δは許容錯乱円径を示し、ｆはレンズ焦点距離を表わし、ＦはレンズのＦ値を表わしている。例えば、Δ＝０．０３ｍｍ，ｆ＝３１ｍｍ，Ｆ＝４の時、Ｈ＝８ｍとなる。ここで、過焦点系列は図３に示すように、Ｈ，Ｈ／２，Ｈ／３・・・Ｈ／ｎで表わされる。この系列は（１／距離）が等差となる関係にある。従って上記系列によらず（１／距離）を等差にすることで段差に併う上記錯乱円径を均等にし、測定距離域でボケ量を均等にする事ができる。本方式に従って任意の段数の設定が可能である。
【００２５】
図３の表図は、各段に対応した理論上の光電流値も挙げてある。前述した様に、反射光量は距離の二乗に反比例する。通常フォトダイオードから出力される光電流は受光量に比例しているので、結局光電流も距離の二乗に反比例することになる。例えば、第１段の光電流を１とすると、第２段の光電流は２．２５となり、第３段では光電流は４となる。以下最終の第７段では光電流が１６となる。最終の第７段の光電流を１００％とした時の比率を、図３の表図の１番右側に光電流比として挙げてある。第７段を１００％とすると、第１段は６．３％であり、大きな差がある。
【００２６】
図４は、図３に示した距離と光電流との関係を表わしたグラフである。縦軸に逆数メモリで距離（ｍ）を取り、横軸に光量比（％）を取ってある。このグラフに対し、図３で設定した各段１〜７を縦棒で入れてある。尚、実線で表わした距離／光量比の特性カーブの上下に位置する点線は、一段分のずれを許容する距離幅を表わしている。
【００２７】
図５は、参照レベル用の電流設定の一例を示す模式図である。電流設定は、４ビット構成の定電流源の組み合わせで行なっている。理解を容易にする為、図５の表図では電流源として最下位ビットから最上位ビットに対応させて、各定電流源を１，２，４，８で表わしている。これらを組み合わせることで、適当な参照レベル間隔となる様に電流を設定している。例えば、▲１▼段では、最下位ビットだけで参照電流を設定し、その値を１とする。二段では１ビット目と２ビット目を用いる。以下同様にして、設定電流比は、▲１▼段から▲８▼段に向かって、１，３，５，７，９，１１，１３，１５となる。これを図３の表図の光電流比と同様のスケールで、光量比に換算した数値が、同じく図５の表に示されている。尚、本例では最下位ビットに対応する定電流源を常時接続とし、実質的には上位３ビット側の組み合わせで電流設定を行なっている。
【００２８】
図５に設定した判定段▲１▼〜▲８▼を、図４のグラフ上で〇印にして表わしてある。前述した様に、図４のグラフでは、過焦点系列に対応した距離段を縦棒で表わす一方、図５の表図に従って設定された判定段を▲１▼〜▲８▼で表わしている。グラフから明らかな様に、判定段はほぼ距離／光量比の理論特性カーブに乗っている。但し、距離段と判定段とは必ずしも正確に対応してはいない。すなわち、判定段▲１▼〜▲８▼の間隔にむらが生じるが、理論設定段差より細かく段差が形成されることは、より精度が得られることになる。光量式判定の性質上、高精度とすることは重要でなく、従来の２段式光量判定に比較して、多段とすることの有効性を得ることを主眼としている。尚、判定段▲１▼〜▲８▼の一部を省略して、より少ない段差設定とすることは可能である。なお、上記は４ビットで説明したが４ビット以外の場合も同様である。
【００２９】
【発明の効果】
以上説明した様に、本発明によれば、従来の二値判定を基本とした簡単な回路構成のまま、判定レベルを切り換えるのみで、多段測距が可能となり、光量式測距装置の精度を高めることが可能である。本システムは判定レベルを切り換えて複数回二値判定を繰り返すことで、実距離に近い判定レベルを得る様にしたもので、ハードとソフトの両手段の組み合わせにより、回路の簡便性を維持しつつ測距精度を高めることが可能になった。特に本発明では、多段判定のアルゴリズムを改善して、最短判定回数で対象物の距離の特定が行なえる様にしている。
【図面の簡単な説明】
【図１】本発明に係る光量式多段測距装置の構成並びに作用を示す模式図である。
【図２】（ａ）は本発明に係る光量式多段測距装置の具体的な構成例を示す回路図であり、（ｂ）は（ａ）における定電流源３ａの別構成による回路図である。
【図３】距離段の設定を示す表図である。
【図４】距離と光量比との関係を示すグラフである。
【図５】判別用電流設定の一例を示す表図である。
【図６】従来の光量式測距装置を組み込んだカメラを示す模式的な斜視図である。
【図７】従来の光量式測距装置の一例を示す模式的な斜視図である。
【符号の説明】
１・・・投光部、２・・・受光部、３・・・回路部、４・・・光量判定回路、５・・・参照レベル設定回路、６・・・制御回路
【図１】
0003737772.tif 000002
【図２】
0003737772.tif 000003
【図３】
0003737772.tif 000004
【図４】
0003737772.tif 000005
【図５】
0003737772.tif 000006
【図６】
0003737772.tif 000007
【図７】
0003737772.tif 000008